(57)【要約】【課題】爪先部の内、親指側が厚いか、または小指側が親指側と同程度の厚みを有するか、等の爪先の形態に関係なく、様々な形態の足に対して爪先に圧迫感を与えることのない靴下を形成する。【解決手段】爪先部２の親指側２ａと小指側２ｂのそれぞれにおいて、足裏側４から甲部側５へかけて編み目数が減少する減少区間とそれに連続して編み目数が増加する増加区間からなる減増区間の組を複数形成し、前記減少区間の端縁とそれに連続する前記増加区間の端縁を互いに連結する。【選択図】図１
2011127269.tif 000002
【特許請求の範囲】
【請求項１】
爪先部の親指側と小指側のそれぞれの側面において、足裏側から甲部側へかけて編み目数が減少する減少区間とそれに連続して編み目数が増加する増加区間からなる減増区間が一つあり、少なくとも親指側に、前記増加区間とそれに連続する前記減少区間からなる増減区間の組が複数あり、その親指側の複数の前記増減区間の内、いずれかの増減区間における編み目の増加数、もしくは減少数が、他の増減区間における編み目の増加数、もしくは減少数より少なく、前記減少区間の端縁とそれに連続する前記増加区間の端縁が互いに連結されていることを特徴とする靴下。
【請求項２】
親指側において、前記減少区間の端縁の、前記足裏側から甲部側へかけての進行方向に対する傾斜角度が、前記増加区間の端縁の、前記進行方向に対する傾斜角度より小さいことを特徴とする請求項１に記載の靴下。
【請求項３】
請求項１、もしくは請求項２に記載の靴下を製造する方法であって、親指側と小指側において、足裏側から甲部側へかけて編み目数を減少させる操作と増加させる操作を繰り返して爪先部を製編し、前記編み目数を減少させた減少区間の端縁とそれに連続して編み目数を増加させた増加区間の端縁を連結することを特徴とする靴下の製造方法。
【発明の詳細な説明】
【技術分野】
【０００１】
本発明は靴下編機により筒編して得られる靴下、及び靴下の製造方法に関するものである。
【背景技術】
【０００２】
図１２に示すような一般的な靴下１は足の入口部から爪先部２に向かって筒編した後、その筒編部３の甲部側５に形成されている開口部の端部を逢着することによって製造される。図１２では開口部端部の逢着部を６で示している。図１２に示す靴下１は工業的には靴下編機、例えば図１４に示す、複数本の編針５０が周囲に配設された針釜６０を一定の向きに回転させて編み立てる回転動作と、この針釜６０を正逆方向に交互に回動させて編み立てる回動動作とを併せ持つ丸編機を用いて製編される。
【０００３】
編針５０は図１４−（ａ）に示すようにその先端部に設けられた鉤部５２において一端部で開閉するベラ５４の他端部が、鉤部５２の首部に設けられた釘５６に回動自在に軸着されることにより形成される。針釜６０の本体である筒状部材６２の外周面には図１４−（ｂ）、（ｃ）に示すように複数本の縦溝６４が形成され、この各縦溝６４に図１４−（ａ）に示す編針５０が上下動可能に挿入される。この針釜６０を一定の向きに回転させるとき、所定箇所で編針５０が順次持ち上げられることにより編み立て動作が行われる。
【０００４】
図１４に示す編針５０と針釜６０とを具備する丸編機によって製編される従来の靴下の爪先部２は図１３に示す要領によって製編されるが、初めに針釜５０を一定の向きに回転させて所定長さの筒編部３を編み立てた後、針釜６０を回動させて靴下１の爪先部２を編み立てることが行われる。
【０００５】
この爪先部２を編み立てる際には、靴下１の足裏側４を示す図１３−（ｃ）のＡＢ位置まで編み立てた後、針釜６０を正逆方向に回動させつつ編み立てに関与する編針５０の針数（以下、編み立てに関与する針数と称することがある）を順次減少させてＣＤ位置まで編み立てる。ＣＤ位置まで編み立てた後、靴下の甲部側５を示す図１３−（ａ）のＡＢ位置まで、針釜６０を正逆方向に回動させつつ編み立てに関与する針数を順次増加させて編み立てることによって爪先部２が形成される。
【０００６】
更に図１３−（ａ）に示すＡＢ位置まで編み立てた後、針釜６０の編み立てに関与する針数を所定本数に保持しつつ、筒編部３の甲部側５に形成された開口部まで製編することにより逢着部６が形成される。ここで、爪先部２の足裏側４と甲部側５との端縁には、各側を形成するループの一部が互いに絡み合わされてなる連結線ＡＣ、ＢＤが形成される。この連結線ＡＣ、ＢＤは針釜６０が正方向又は逆方向に回動した際の回動端でもある。
【０００７】
図１３に示す靴下１の場合、丸編機の針釜６０を正逆方向に回動させつつ編み立てに関与する針数を順次増減させて爪先部２を編み立てる際の針数の増減数は実質的に同一であるため、丸編機の編み立て方向は靴下１の中心線方向で一定している。従って得られた靴下１の爪先部２は図１３−（ａ）、（ｃ）に示すように左右対称形であり、且つ爪先部２の先端側から見た図である（ｂ）に示すように略同一厚さに形成されるため、靴下１には左右の別がない。
【０００８】
しかしながら、一般的な足は親指が他の指よりも太く、且つ足の最先端位置が靴下１の中心線に関して親指側に位置する非対称形であることが多いため、図１３に示す靴下１では親指によって靴下地が引っ張られて親指側に圧迫感が生じ、特に親指に力が加えられるスポーツ等の際には競技中に親指に痛みを感ずることもある。更に親指によって靴下地が引っ張られることで、小指側の靴下地も引っ張られるため、小指側にも圧迫感が感じられることもある。
【０００９】
このような、対称形の靴下が有する問題点に着目し、出願人は先に非対称形の足に適合した形態の靴下を提案している（特許文献１参照）。
【先行技術文献】
【特許文献】
【００１０】
【特許文献１】特開平１１−０２１７０３号公報（請求項１、段落０００７、００１３〜００２４、図１、図２）
【発明の概要】
【発明が解決しようとする課題】
【００１１】
特許文献１の靴下は爪先部における最先端位置が親指側に偏って位置する非対称形であって、爪先部の厚みを増加する厚み増加用編立部分が爪先部の親指側に偏って編み込まれていることを特徴とする。但し、厚み増加用編立部分が親指側に偏っていることから、靴下に適合する足が、爪先部の中で親指側が厚い形態に特定されるため、例えば小指側が親指側と同程度近くの厚みを有する足への対応が利かない可能性がある。
【００１２】
本発明は上記背景より、親指側が厚い形態の他、小指側が親指側と同程度近くの厚みを有する形態等、様々な形態の足に対して圧迫感を与えることのない靴下及びその製造方法を提案するものである。
【課題を解決するための手段】
【００１３】
本発明は爪先部の親指側と小指側のそれぞれにおいて、足裏側から甲部側へかけて編み目数が減少する減少区間とそれに連続して編み目数が増加する増加区間からなる減増区間の組が複数あり、前記減少区間の端縁とそれに連続する前記増加区間の端縁が互いに連結されていることを構成要件とする。編み目数の減少区間の端縁とそれに連続する増加区間の端縁が互いに連結されることで、増加区間の端縁とそれに連続する減少区間の端縁は互いには連結されない。図１−（ａ）以下、展開図上、下が足裏側、上が甲部側である。
【００１４】
爪先部を製編する際には通常、先端部を閉じた形にする上で、前記のように編針５０の針数が次第に減少させられるが、請求項１では針数が単に減少させられるのではなく、爪先部の親指側と小指側に、足裏側から甲部側へかけて編み目数の減少区間とそれに連続する増加区間からなる減増区間の組が複数あることで、親指側と小指側のそれぞれにおいて編み目数の減少と増加が繰り返される。
【００１５】
展開図上は図１−（ａ）に示すように爪先部の親指側と小指側の端縁がジグザグ状になり、爪先部の製編が完了したとき、すなわち編み目数の減少区間の端縁とそれに連続する増加区間の端縁が連結されたときに、互いに連結されない増加区間の端縁とそれに連続する減少区間の端縁が形成するＶ字、またはＵ字等の形がそのまま残ることになる。結果として（ｂ）、（ｃ）に示すように親指側と小指側のそれぞれに実質的にＶ字状、またはＵ字状等の連結線が形成される。図１−（ｂ）、（ｃ）はそれぞれ親指側、小指側の側面を示す。
【００１６】
編み目数の増加区間の端縁とそれに連続する減少区間の端縁が互いに連結されないことで、爪先部の製編が完了した時点で、爪先部に厚さ方向の空間が確保される。このように実質的にＶ字状、またはＵ字状等をなす端縁の連結線は爪先部に爪先を入れたときに爪先に圧迫感を与えることのないゆとりを与え、爪先部の親指側においては親指側の厚みを増す機能を持ち、小指側においては小指側の厚みを増す機能を持つ。
【００１７】
実質的にＶ字状、またはＵ字状等をなす端縁の連結線が親指側と小指側のそれぞれに表れることで、爪先部におけるゆとりは親指側と小指側のいずれにも確保され、ゆとりの大きさと位置はＶ字、またはＵ字等の数や大きさ等、すなわち減少区間と増加区間の数と大きさ等により自由に設定される。
【００１８】
従って親指側が厚いか、または小指側が親指側と同程度近くの厚みを有するか、等の爪先の形態に関係なく、様々な形態の足に対して爪先に圧迫感を与えることのない靴下を形成することが可能となる。具体的には親指側におけるＶ字、またはＵ字等の数や大きさを増すことで爪先の親指側が厚い足に対応することが可能であり、小指側においても同様にＶ字、またはＵ字等の数や大きさを増すことで小指側が親指側と同程度近くの厚みを有する足へも対応可能となる。
【００１９】
本発明は、少なくとも親指側に、前記増加区間とそれに連続する前記減少区間からなる増減区間の組が複数あることを構成要件とする。増減区間の組は小指側に複数ある場合もある。
【００２０】
増減区間の組とは、図１−（ａ）、図３−（ａ）に示すように前記のＶ字やＵ字等のように互いに連結されずに残る端縁の組を指し、増加区間の端縁とそれに連続する減少区間の端縁とで１組になる。請求項２では少なくとも親指側に増減区間の組が複数あることから、図３−（ａ）に示すように減少区間と増加区間は共に３個以上ある。
【００２１】
本発明では少なくとも親指側に増減区間の組が複数あることで、前記した爪先部におけるゆとりの空間の大きさや形を自由に形成し、また爪先の甲部側から足裏側へかけて広い範囲でゆとりを確保することが可能である。特にジグザグの数が親指側に複数あることで、爪先の親指側が厚い足に容易に対応することが可能であり、小指側にもジグザグの数が複数あれば、小指側が親指側と同程度の厚みを有する足へも容易に対応可能となる。
【００２２】
本発明は、親指側の前記増減区間の組の数が、小指側の前記増減区間の組の数より多いことを構成要件とする。
【００２３】
この場合、図３に示すように親指側の増減区間の組の数が小指側の増減区間の組の数より多いことで、親指側に形成されるＶ字、またはＵ字等の数が小指側の数より相対的に多くなり、親指側のゆとりが大きくなるため、特に親指側が厚い足に対する圧迫感を容易に緩和、もしくは解消することが可能になる。図３は親指側に複数の増減区間がある場合の他、親指側の増減区間の組の数が小指側の増減区間の組の数より多い場合も示している。
【００２４】
本発明は、親指側の複数の前記増減区間の内、いずれかの増減区間における編み目の増加数、もしくは減少数が、他の増減区間における編み目の増加数、もしくは減少数より少ないことを構成要件とする。
【００２５】
いずれかの増減区間における編み目の増加数、もしくは減少数が、他の増減区間における編み目の増加数、もしくは減少数より少ないとは、いずれかの増減区間における編み目の増加数が他の増減区間における編み目の増加数より少ない、またはいずれかの増減区間における編み目の減少数が他の増減区間における編み目の減少数より少ない、あるいはいずれかの増減区間における編み目の増加数と減少数が共に、他の増減区間における編み目の増加数と減少数より少ないことを言う。
【００２６】
図６−（ａ）に示すように親指側のいずれかの増減区間における編み目の増加数、もしくは減少数が、他の増減区間における編み目の増加数、もしくは減少数より少ないことで、減少区間の端縁とそれに連続する増加区間の端縁が互いに連結されるときに、増加数、もしくは減少数の少ない増減区間を挟んだ減少区間の端縁と増加区間の端縁が連結されることになる。この結果、（ｂ）に示すように増加数、もしくは減少数の多い他の増減区間の端縁が前記のようにＶ字、またはＵ字等を形成するときに、そのＶ字、またはＵ字等の先端位置に増加数、もしくは減少数の少ない増減区間の端縁がＶ字、またはＵ字等の形となって表れることになる。
【００２７】
親指側に形成されるＶ字、またはＵ字等の先端位置に更なるＶ字、またはＵ字等が形成されることで、請求項２、もしくは請求項３の場合より親指側のゆとりが更に大きくなり、親指側における圧迫感を緩和する効果が増大する。
【００２８】
請求項１に記載の発明は爪先部の親指側と小指側のそれぞれの側面において、足裏側から甲部側へかけて編み目数が減少する減少区間とそれに連続して編み目数が増加する増加区間からなる減増区間が一つあり、少なくとも親指側に、前記増加区間とそれに連続する前記減少区間からなる増減区間の組が複数あり、その親指側の複数の前記増減区間の内、いずれかの増減区間における編み目の増加数、もしくは減少数が、他の増減区間における編み目の増加数、もしくは減少数より少なく、前記減少区間の端縁とそれに連続する前記増加区間の端縁が互いに連結されていることを構成要件とする。
【００２９】
請求項１に記載の発明では図８−（ａ）に示すように小指側において足裏側から甲部側へかけて編み目数の減少区間とそれに連続する増加区間の組（減増区間）が複数に限られず、単数の場合が含まれ、増減区間がないこともある。請求項５に記載の発明は小指側において減増区間が単数の場合を含むことを除き、請求項４に記載の発明と共通する。よって本発明が有する、親指側のゆとりが増大することの前記利点を引き継ぎ、爪先の形状が親指側に偏った非対称形の足に対する圧迫感を容易に解消することが可能になる。
【００３０】
請求項２に記載の発明は請求項１に記載の発明において、親指側において、前記減少区間の端縁の、前記足裏側から甲部側へかけての進行方向に対する傾斜角度が、前記増加区間の端縁の、前記進行方向に対する傾斜角度より小さいことを構成要件とする。図１０−（ａ）に示すように減少区間の端縁の進行方向に対する傾斜角度αは鋭角を指し、増加区間の進行方向に対する傾斜角度βは９０°以下の角度を指す。
【００３１】
この場合、進行方向に対する減少区間の端縁の傾斜角度αが、増加区間の端縁の傾斜角度βより小さいことで、各区間の長さが等しい場合において減少区間の端縁の傾斜角度と増加区間の端縁の傾斜角度が等しい場合より、減少区間の端縁の中心、または減少区間と増加区間の端縁の中心を結ぶ線と進行方向とのなす角度（鋭角）が小さくなる。すなわち減少区間の端縁の中心等を結ぶ線が親指側と小指側を結ぶ線の中心線より親指側へ偏ることになる。この結果、減少区間の端縁の傾斜角度と増加区間の端縁の傾斜角度が等しい場合より、親指側に多くの糸が編み込まれるため、爪先部における親指側の空間を厚くすることができ、親指に対する圧迫感を緩和する効果が得られる。
【００３２】
請求項１、もしくは請求項２に記載の靴下は請求項３に記載のように、親指側と小指側において、足裏側から甲部側へかけて編み目数を減少させる操作と増加させる操作を繰り返して爪先部を製編し、前記編み目数を減少させた減少区間の端縁とそれに連続して編み目数を増加させた増加区間の端縁を連結することにより製造される。
【００３３】
編み目数の増加区間の端縁とそれに連続する減少区間の端縁を連結することで、上記請求項１、もしくは請求項２に記載の発明の利益を引き継ぐため、親指側が厚いか、または小指側が親指側と同程度近くの厚みを有するか等の爪先の形態に関係なく、様々な形態の足に対して爪先に圧迫感を与えることのない靴下を製造することが可能である。
【発明の効果】
【００３４】
親指側と小指側において足裏側から甲部側へかけて編み目数の減少区間とそれに連続する増加区間からなる減増区間の組を複数有するか、または親指側の複数の増減区間の内、いずれかの増減区間の編み目の増加数、もしくは減少数が、他の増減区間の編み目の増加数、もしくは減少数より少ないため、爪先部の製編が完了した時点で、爪先部に厚さ方向の空間を確保することができる。従って爪先部に爪先を入れたときに爪先に圧迫感を与えることのないゆとりを与えることができる。
【００３５】
ゆとりは親指側と小指側のいずれにも確保することができ、その大きさと位置は自由に設定することができるため、親指側が厚いか、または小指側が親指側と同程度近くの厚みを有するか等の爪先の形態に関係なく、様々な形態の足に対して爪先に圧迫感を与えることを回避できる。
【図面の簡単な説明】
【００３６】
【図１】（ａ）は親指側と小指側に１個の増減区間がある場合の編み立ての要領を示した展開図、（ｂ）は爪先部の製編が終了したときの親指側の様子を示した側面図、（ｃ）は小指側の様子を示した側面図である。
【図２】（ａ）は爪先部の製編が終了したときの足裏側を示した背面図、（ｂ）は爪先側を示した正面図、（ｃ）は甲部側を示した平面図である。
【図３】（ａ）は親指側に２個の増減区間があり、小指側に１個の増減区間がある場合の編み立ての要領を示した展開図、（ｂ）は爪先部の製編が終了したときの親指側の様子を示した側面図、（ｃ）は小指側の様子を示した側面図である。
【図４】（ａ）は親指側に２個の増減区間があり、小指側に１個の増減区間がある場合の他の編み立ての要領を示した展開図、（ｂ）は爪先部の製編が終了したときの親指側の様子を示した側面図、（ｃ）は小指側の様子を示した側面図である。
【図５】（ａ）は親指側と小指側に１個の増減区間がある場合の他の編み立ての要領を示した展開図、（ｂ）は爪先部の製編が終了したときの親指側の様子を示した側面図、（ｃ）は小指側の様子を示した側面図である。
【図６】（ａ）は親指側に３個の増減区間があり、各増減区間における編み目の減少数と増加数を変化させて編み立てを行ったときの様子を示した展開図、（ｂ）は爪先部の製編が終了したときの親指側の様子を示した側面図、（ｃ）は小指側の様子を示した側面図である。
【図７】（ａ）は親指側に７個の増減区間があり、各増減区間における編み目の減少数と増加数を変化させて編み立てを行ったときの他の様子を示した展開図、（ｂ）は爪先部の製編が終了したときの親指側の様子を示した側面図、（ｃ）は小指側の様子を示した側面図である。
【図８】（ａ）は小指側に増減区間がなく、親指側に３個の増減区間があり、各増減区間における編み目の減少数と増加数を変化させて編み立てを行ったときの様子を示した展開図、（ｂ）は爪先部の製編が終了したときの親指側の様子を示した側面図、（ｃ）は小指側の様子を示した側面図である。
【図９】（ａ）は小指側に増減区間がなく、親指側に７個の増減区間があり、各増減区間における編み目の減少数と増加数を変化させて編み立てを行ったときの様子を示した展開図、（ｂ）は爪先部の製編が終了したときの親指側の様子を示した側面図、（ｃ）は小指側の様子を示した側面図である。
【図１０】（ａ）は親指側の減少区間の端縁の、進行方向に対する傾斜角度を、増加区間の端縁の、進行方向に対する傾斜角度より小さくし、親指側において編み目数の減少と増加を多数回繰り返して編み立てを行ったときの様子を示した展開図、（ｂ）は爪先部の製編が終了したときの親指側の様子を示した側面図、（ｃ）は小指側の様子を示した側面図である。
【図１１】（ａ）は親指側の減少区間の端縁の、進行方向に対する傾斜角度を、増加区間の端縁の、進行方向に対する傾斜角度より小さくし、親指側において編み目数の減少と増加を多数回繰り返して編み立てを行ったときの他の様子を示した展開図、（ｂ）は爪先部の製編が終了したときの親指側の様子を示した側面図、（ｃ）は小指側の様子を示した側面図である。
【図１２】靴下の外形を示した斜視図である。
【図１３】（ａ）は従来の靴下の爪先部を示した甲部側の平面図、（ｂ）は（ａ）の爪先側の正面図、（ｃ）は足裏側の背面図である。
【図１４】（ａ）は靴下編機である丸編機に装着される編針を示した立面図、（ｂ）は針釜を示した斜視図、（ｃ）は（ｂ）の一部拡大図である。
【発明を実施するための形態】
【００３７】
以下、図面を用いて本発明を実施するための最良の形態を説明する。
【００３８】
図１−（ａ）は爪先部２の親指側２ａと小指側２ｂのそれぞれにおいて、足裏側４から甲部側５へかけて編み目数が減少する減少区間とそれに連続して編み目数が増加する増加区間からなる減増区間の組が複数あり、（ｂ）、（ｃ）に示すように減少区間の端縁とそれに連続する増加区間の端縁が互いに連結されている靴下１の基本的な形態の展開図を示す。（ａ）において下が足裏側４を、上が甲部側５を示す。（ｂ）は爪先部２を足裏側４から甲部側５へ製編し、甲部側５での逢着まで終了したときの爪先部２における親指側２ａの側面を、（ｃ）は小指側２ｂの側面を示す。爪先部２は足裏側４から甲部側５へ向けて編み目数の減少区間と増加区間が交互に繰り返され、甲部側５において図１２に示す筒編部３の、爪先側の先端と逢着されることにより製編され、図１−（ｂ）、（ｃ）に示すように逢着部６が形成される。
【００３９】
図１−（ａ）は爪先部２の製編が足裏側４から甲部側５へ移行する間に、親指側２ａにおいて編み目数の減少区間と増加区間がそれぞれ２つあり、小指側２ｂにおいても編み目数の減少区間と増加区間がそれぞれ２つある場合の展開図を示している。減少区間と増加区間は交互に繰り返されるため、図１では親指側２ａと小指側２ｂのそれぞれに２個の減増区間があり、２個の減増区間が繰り返されることによって１個の増減区間を有することになる。図１−（ａ）中、親指側２ａにおけるＨ−Ｊ−Ｈ、Ｈ−Ｌ−Ｈ、及び小指側２ｂにおけるＩ−Ｋ−Ｉ、Ｉ−Ｍ−Ｉが減増区間であり、親指側２ａにおけるＪ−Ｈ−Ｌ、及び小指側２ｂにおけるＫ−Ｉ−Ｍが増減区間である。
【００４０】
親指側２ａにおける編み目数の減少区間の端縁ＨＪ、ＨＬとそれぞれに連続する増加区間の端縁ＪＨ、ＬＨが互いに連結されたときには、増加区間の端縁ＪＨとそれに連続する減少区間の端縁ＨＬ（増減区間Ｊ−Ｈ−Ｌ）は互いには連結されず、親指側２ａでは増加区間の端縁ＪＨとそれに連続する減少区間の端縁ＨＬが対になって実質的にＶ字状、またはＵ字状等をなして表れる。図１の場合、Ｖ字状、またはＵ字状等をなす端縁の組、すなわち増減区間は親指側２ａと小指側２ｂのいずれも１組である。
【００４１】
同様に小指側２ｂにおける編み目数の減少区間の端縁ＩＫ、ＩＭとそれぞれに連続する増加区間の端縁ＫＩ、ＭＩが互いに連結されたときには、増加区間の端縁ＫＩとそれに連続する減少区間の端縁ＩＭ（増減区間Ｋ−Ｉ−Ｍ）は互いには連結されず、小指側２ｂでは増加区間の端縁ＫＩとそれに連続する減少区間の端縁ＩＭが対になって実質的にＶ字状、またはＵ字状等をなして表れる。
【００４２】
図１に示す爪先部２を編み立てる際には、靴下１の足裏側４を示す図２−（ａ）のＨ−Ｉ位置まで編み立てた後、（ｂ）に示すように編み目数を順次減少させてＪ−Ｋ位置まで編み立てることが行われる。この場合、針釜６０が正方向に回動した際の編み目の減少数と、逆方向に回動した際の編み目の減少数が実質的に同数である場合と同数でない場合がある。
【００４３】
図１−（ａ）、図２−（ａ）、（ｂ）に示すＨ−Ｉ線の位置までは、針釜６０を一定方向に回転させて所定長さの、図１２に示す筒編部３を編み立てた後、針釜６０を正逆方向に交互に回動させ、編み立てに関与する編針５０の針数（編み目数）を増減させることによって爪先部２の編み立てが行われる。ここでの針数の増減は正逆方向に回動する針釜６０の回動方向を変更する際に行われる。
【００４４】
Ｊ−Ｋ位置まで編み立てた後は、図１−（ａ）に示すようにＪ位置側に針釜６０が回動する際に編み目を順次増加させてＨ位置まで編み立てると同時に、Ｋ位置側に針釜６０が回動する際に編み目数を順次増加させてＩ位置側まで編み立て、次いでＨ位置側に針釜６０が回動する際に編み目数を減少させてＬ位置まで編み立てると同時に、Ｉ位置側に針釜６０が回動する際に編み目数を減少させてＭ位置側まで編み立てることが行われる。この間のＨ位置とＩ位置を結ぶ線Ｈ−Ｉは図２−（ｂ）に示すように足裏側４から甲部側５への折り返し線となる。
【００４５】
図１−（ａ）ではこの折り返し線Ｈ−Ｉに関して足裏側４と甲部側５が線対称となるように、親指側２ａと小指側２ｂにおける編み目の増減数を等しくしているが、必ずしもその必要はなく、折り返し線Ｈ−Ｉに関して足裏側４と甲部側５が非対称となる場合もある。図３−（ａ）〜図７−（ａ）においても同様である。
【００４６】
図１の場合には更に、Ｌ−Ｍ位置まで編み立てた後、Ｌ位置側とＭ位置側で編み目数を順次増加させてＨ−Ｉ位置まで編み立てることによって図２−（ｃ）に示すように爪先部２の製編が完了する。ここで針釜６０が正方向に回動した際の編み目の増加数と、逆方向に回動した際の編み目の増加数は実質的に同数である場合と同数でない場合がある。
【００４７】
爪先部２は足裏側４から甲部側５へ移行することにより製編されるが、逢着部６が形成されるまでの過程で言えば、針は親指側２ａと小指側２ｂを往復しながら、Ｈ−Ｉ間→Ｊ−Ｋ間→Ｈ−Ｉ間→Ｌ−Ｍ間→Ｈ−Ｉ間を移動する。この間、親指側２ａのＨ→Ｊの過程で編み目数が減少し、Ｊ→Ｈの過程で編み目数が増加する。続くＨ→Ｌの過程では編み目数が減少し、Ｌ→Ｈの過程では編み目数が増加する。
【００４８】
同様に小指側２ｂのＩ→Ｋの過程で編み目数が減少し、Ｋ→Ｉの過程で編み目数が増加し、続くＩ→Ｍの過程で編み目数が減少し、Ｍ→Ｉの過程で編み目数が増加する。図１−（ａ）では足裏側４のＨ−Ｉ位置から甲部側５のＨ−Ｉ位置までの間において、親指側２ａと小指側２ｂでの編み目の減少数と増加数が等しく、また足裏側４から甲部側５への移行の向きに進行する点を破線で結んだＪ−Ｋ、Ｌ−Ｍが互いに平行になっているが、必ずしもそのような規則性を持たせる必要はない。図３−（ａ）〜図７−（ａ）においても同様である。
【００４９】
図３−（ａ）は少なくとも親指側２ａに、増加区間とそれに連続する減少区間からなる増減区間の組が複数ある場合の展開図を示す。図３−（ａ）はまた、親指２ａ側の増減区間の組の数が、小指側２ｂの増減区間の組の数より多い場合の展開図も示す。具体的には爪先部２の製編が足裏側４から甲部側５へ移行する間に、親指側２ａにおける減少区間と増加区間が３つずつあって増減区間の組が二組あり、小指側２ｂにおける減少区間と増加区間が２つずつあって増減区間の組が一組ある場合の展開図を示している。
【００５０】
図３の場合も、（ｂ）、（ｃ）に示すように親指側２ａと小指側２ｂのそれぞれにおいて編み目数の増加区間の端縁とそれに連続する減少区間の端縁が実質的にＶ字状等をなすことになる。親指側２ａでは増減区間の組が二組あることで、２個のＶ字が横方向に連なった形で表れる。
【００５１】
図３に示す爪先部２を編み立てる際にも、靴下の足裏側４を示す図２−（ａ）のＨ−Ｉ位置まで編み立てた後、編み立てに関与する編針の針数（編み目数）を順次減少させて親指側２ａにおいてはＪ位置まで、小指側２ｂにおいてはＪ位置に対応したＫ’位置まで編み立てることが行われる。図３では針釜６０が正方向に回動した際の編み目の減少数と、逆方向に回動した際の編み目の減少数が同数でないが、同数である場合もある。
【００５２】
Ｊ−Ｋ’位置まで編み立てた後、Ｊ位置側に針釜６０が回動する際に編み目数を順次増加させてＨ位置まで編み立てると同時に、Ｋ’位置側に針釜６０が回動する際に引き続き、編み目数を減少させてＫ位置まで編み立て、Ｋ位置から編み目数を増加させてＫ’位置まで編み立てる。Ｋ位置は展開図上、製編の進行方向に対してＪ−Ｋ’位置とＨ−Ｋ’位置の中間点に当たる。
【００５３】
続いてＨ位置側に針釜６０が回動する際に編み目数を減少させてＬ位置まで編み立てると同時に、Ｋ’位置側に針釜６０が回動する際に引き続き、編み目数を増加させてＩ位置側まで編み立てる。ここでＬ位置とＩ位置を結ぶ線Ｌ−Ｉは足裏側４から甲部側５への折り返し線となり、Ｌ−Ｉ以降は甲部側５へ移行する。その後は足裏側４と対称に親指側２ａにおいては編み目数の増加区間（Ｌ→Ｈ）→減少区間（Ｈ→Ｎ）→増加区間（Ｎ→Ｈ）を経て、小指側２ｂにおいては編み目数の減少区間（Ｉ→Ｍ’）→減少区間（Ｍ’→Ｍ）→増加区間（Ｍ→Ｍ’）→増加区間（Ｍ’→Ｉ）を経てＨ−Ｉ位置までの編み立てが行わ
れる。
【００５４】
この場合も、爪先部２は足裏側４から甲部側５へ移行することにより製編されるが、逢着部６が形成されるまでの過程で言えば、針は親指側と小指側を往復しながら、Ｈ−Ｉ間→Ｊ−Ｋ’間→Ｈ−Ｋ’間→Ｌ−Ｉ間→Ｈ−Ｍ’間→Ｎ−Ｍ’間→Ｈ−Ｉ間を移動する。この間、親指側２ａのＨ→Ｊ、Ｈ→Ｌ、Ｈ→Ｎの過程では編み目数が減少し、Ｊ→Ｈ、Ｌ→Ｈ、Ｎ→Ｈの過程では編み目数が増加する。同様に小指側２ｂのＩ→Ｋ’→Ｋ、Ｉ→Ｍ’→Ｍの過程では編み目数が減少し、Ｋ→Ｋ’→Ｉ、Ｍ→Ｍ’→Ｉの過程では編み目数が増加する。
【００５５】
親指側２ａにおける減少区間Ｈ→Ｊ、Ｈ→Ｌ、Ｈ→Ｎとそれぞれに連続する増加区間Ｊ→Ｈ、Ｌ→Ｈ、Ｎ→Ｈは互いに絡み合わされて連結される連結線を形成する。増加区間Ｊ→Ｈ、Ｌ→Ｈとそれぞれに連続する減少区間Ｈ→Ｌ、Ｈ→Ｎ（増減区間Ｊ−Ｈ−Ｌ、Ｌ−Ｈ−Ｎ）はそれぞれ対になり、図３−（ｂ）に示すように親指側２ａのＶ字等を形成する。同様に小指側２ｂにおける減少区間Ｉ→Ｋ、Ｉ→Ｍとそれぞれに連続する増加区間Ｋ→Ｉ、Ｍ→Ｉは互いに絡み合わされて連結される連結線を形成し、増加区間Ｋ→Ｉとそれに連続する減少区間Ｉ→Ｍ（増減区間Ｋ−Ｉ−Ｍ）が対になり、図３−（ｂ）に示すように親指側２ａのＶ字等を形成する。
【００５６】
図４−（ａ）は図３と同様に親指側２ａに増加区間とそれに連続する減少区間からなる増減区間の組が二組あり、小指側２ｂに一組の増減区間がある場合の展開図を示す。図４−（ａ）はまた、親指側２ａでの増加区間において、足裏側４から甲部側５へ移行することなく、編み目数のみを増加させて編み立てを行う場合の展開図を示す。
【００５７】
この場合も、図４−（ｂ）に示すように親指側２ａにおいては編み目数の増加区間の端縁とそれに連続する減少区間の端縁（増減区間Ｏ−Ｐ−Ｑ、Ｑ−Ｐ−Ｒ）が実質的にＶ字状等をなし、（ｃ）に示すように小指側２ｂにおいても編み目数の増加区間の端縁とそれに連続する減少区間の端縁（増減区間Ｋ−Ｉ−Ｍ）が実質的にＶ字状等をなす。親指側２ａでは２つの増減区間が連続することで、Ｖ字状等をなす端縁の組は２組あり、２個のＶ字が横方向に連なった形で表れることになる。
【００５８】
図４の場合は足裏側４のＨ−Ｉ位置まで編み立てた後、小指側２ｂにおいては編み立てに関与する編針の針数（編み目数）を順次減少させてＫ位置まで編み立てる一方、親指側２ａにおいては編み立てに関与する編針の針数（編み目数）を順次減少させてＯ位置まで編み立て後に、甲部側５へ移行することなく針数を増加させてＰ位置まで編み立てることが行われる。
【００５９】
Ｐ−Ｋ位置まで編み立てた後、Ｋ位置側に針釜が回動する際に編み目数を増加させてＩ位置まで編み立てると同時に、Ｐ位置側に針釜が回動する際に編み目数を減少させてＱ位置までの編み立てが行われる。ここでＱ位置とＩ位置を結ぶ線Ｑ−Ｉは足裏側４から甲部側５への折り返し線となり、Ｑ−Ｉ以降は甲部側５へ移行するため、その後は足裏側４と対称に親指側２ａにおいては編み目数の増加区間（Ｑ→Ｐ）→減少区間（Ｐ→Ｒ）→増加区間（Ｒ→Ｈ）を経て、小指側２ｂにおいては編み目数の減少区間（Ｉ→Ｍ）→増加区間（Ｍ→Ｉ）を経てＨ−Ｉ位置までの編み立てが行われる。この場合も、爪先部２は針が親指側２ａと小指側２ｂを往復しながら、足裏側４から甲部側５へ移行することにより製編される。
【００６０】
図５−（ａ）は図４−（ａ）と同様に親指側２ａに増加区間とそれに連続する減少区間からなる増減区間の組が一組あり、小指側２ｂに一組の増減区間がある場合の展開図を示すが、図４−（ａ）中のＰ−Ｑ−Ｐの区間において編み目数の増減をしない編み方をした場合に相当する。図５−（ａ）はまた、親指側２ａと小指側２ｂにそれぞれ１個の増減区間を有する形であるため、図１の変形例にも相当する。親指側２ａにおける編み目数の増加区間Ｓ−Ｔでは針が足裏側４から甲部側５へ移行することなく、編み目数のみ増加し、増加区間Ｓ−Ｔ後の区間Ｔ−Ｈ−Ｕでは編み目数が増減することなく、針が甲部側５へ移行する。
【００６１】
図５の場合、（ｂ）に示すように親指側２ａにおける編み目数の増加区間の端縁ＳＴと、増減のない区間の端縁ＴＨＵを挟んで連続する減少区間の端縁ＵＶが実質的にＵ字状等をなし、（ｃ）に示すように小指側２ｂにおける編み目数の増加区間の端縁ＫＩとそれに連続する減少区間の端縁ＩＭが実質的にＶ字状等をなすことになる。親指側２ａでＵ字状等をなす端縁の組は１組である。
【００６２】
この場合は足裏側４のＨ−Ｉ位置まで編み立てた後、小指側２ｂにおいては編み立てに関与する編針の針数（編み目数）を順次減少させてＫ位置まで編み立てる一方、親指側２ａにおいては編み立てに関与する編針の針数（編み目数）を順次減少させてＳ位置まで編み立て後、甲部側５へ移行することなく針数を増加させてＴ位置まで編み立てることが行われる。
【００６３】
Ｔ−Ｋ位置まで編み立てた後、小指側２ｂのＫ位置側に針釜が回動する際に編み目数を増加させてＩ位置まで編み立てると同時に、親指側２ａのＴ位置側に針釜が回動する際に編み目数を増減させることなくＨ位置までの編み立てが行われる。ここでＨ位置とＩ位置を結ぶ線Ｈ−Ｉは足裏側４から甲部側５への折り返し線となり、Ｈ−Ｉ以降は甲部側５へ移行する。その後は足裏側４と対称に親指側２ａにおいては編み目数を増減させることなくＵ位置までの編み立てをした後、編み目数の減少区間（Ｕ→Ｖ）→増加区間（Ｖ→Ｈ）を経て、小指側２ｂにおいては編み目数の減少区間（Ｉ→Ｍ）→増加区間（Ｍ→Ｉ）を経てＨ−Ｉ位置までの編み立てが行われる。この場合も、爪先部２は針が親指側２ａと小指側２ｂを往復しながら、足裏側４から甲部側５へ移行することにより製編される。
【００６４】
親指側２ａの減少区間の端縁ＨＳ、ＵＶとそれぞれに連続する増加区間の端縁ＳＴ、ＶＨは互いに絡み合わされて連結される連結線を形成し、増加区間の端縁ＳＴと、編み目数の変化のないＴＨＵを経た減少区間の端縁ＵＶが図５−（ｂ）に示すように親指側２ａのＵ字を形成する。同様に小指側２ｂの減少区間の端縁ＩＫ、ＩＭとそれぞれに連続する増加区間の端縁ＫＩ、ＭＩは互いに絡み合わされて連結される連結線を形成し、増加区間の端縁ＫＩとそれに連続する減少区間の端縁ＩＭが対になり、図５−（ｃ）に示すように小指側２ｂのＶ字を形成する。
【００６５】
図６−（ａ）、図７−（ａ）は図１、図３、図４の各（ｂ）に示す、親指側２ａに形成されるＶ字の先端に更にＶ字を形成するように編み目数の減少区間と増加区間が複数個ある場合の展開図を示す。図６−（ｂ）、図７−（ｂ）はそれぞれ親指側２ａの側面を、図６−（ｃ）、図７−（ｃ）はそれぞれ小指側２ｂの側面を示す。図６、図７の場合も親指側２ａでＶ字状等をなす端縁の組は多数組（３組）ある。
【００６６】
これらの場合、例えば図６−（ａ）においてＶ字等を形成する親指側２ａの編み目数が増加する端縁イウとそれに連続して編み目数が減少する端縁ウエの編み目の増加・減少数と、続いて編み目数が増加する端縁エオとそれに連続して編み目数が減少する端縁オカの編み目の増加・減少数を相違させることにより（ｂ）に示すようにＶ字の先端に更にＶ字が形成されることになる。図６−（ａ）ではエ→オ→カの編み目の増加・減少数をイ→ウ→エとカ→キ→クの編み目の増加・減少数の２倍にしているが、それぞれの増加数と減少数は任意に設定される。
【００６７】
図６−（ａ）の場合、減少区間の端縁アイとそれに連続する増加区間の端縁イウが連結されると同時に、減少区間の端縁ウエとそれに連続する増加区間の端縁エオが連結され、端縁アイのア寄りの一部と端縁エオのオ寄りの一部が互いに連結される。
【００６８】
図７−（ａ）は図６における、先端にＶ字を有する親指側２ａのＶ字が縦方向に連なった形になるように親指側２ａの増減区間の数を増加させた場合を示している。具体的には図６では親指側２ａに増減区間が３個あるのに対し、図７では増減区間を７個形成している。Ｖ字の先端に更にＶ字を形成する関係から、図６−（ａ）におけるオ−Ｉ線、図７−（ａ）におけるケ−Ｉ線は足裏側４から甲部側５への折り返し線となるため、増減区間は奇数個になる。
【００６９】
図６、図７では小指側２ｂにＶ字が表れるようにしている関係で、小指側２ｂに１個の増減区間を形成し、減増区間が２個あるのに対し、図８−（ａ）は図６における小指側２ｂの減少区間と増加区間がそれぞれ１個で、増減区間がなく、減増区間が１個ある場合の展開図を示す。同様に図９−（ａ）は図７における小指側２ｂの減少区間と増加区間がそれぞれ１個で、増減区間がなく、減増区間が１個ある場合の展開図を示す。図８、図９の各（ｂ）、（ｃ）はそれぞれ親指側２ａと小指側２ｂの側面を示す。
【００７０】
図１０−（ａ）、図１１−（ａ）は親指側２ａの減少区間の端縁（アイ等）の、足裏側４から甲部側５へかけての進行方向に対する傾斜角度（減少区間の端縁と進行方向とのなす角度α）が、増加区間の端縁（イウ等）の、進行方向に対する傾斜角度（増加区間の端縁と進行方向とのなす角度β）より小さい場合の展開図を示す。図面では増加区間の端縁と進行方向とのなす角度βを９０°にし、増加区間で足裏側４から甲部側５へ移行させていないが、この角度βは９０°以下で、前記角度αより大きければよい。
【００７１】
図１０−（ａ）、図１１−（ａ）では親指側２ａの端縁が足裏側４から折り返し線へかけて、全体的に親指側２ａと小指側２ｂとの間の中間寄りへ傾斜しているが、この傾斜は減少区間の端縁の、進行方向に直交する方向への投影長さを、増加区間の端縁の、進行方向に直交する方向への投影長さより大きくすることにより得られる。図１０−（ａ）、図１１−（ａ）はまた、爪先部２の製編が足裏側４から甲部側５へ移行する間に、親指側２ａにおける減少区間と増加区間が多数あり、小指側２ｂにおける減増区間が二つあり、増減区間が一つある場合を示している。
【００７２】
図１０、図１１のように編み目数の減少区間において足裏側４から甲部側５へ移行し、増加区間において足裏側４から甲部側５へ移行しない編み方をする場合には、親指側２ａの減少区間の端縁の中心、または減少区間と増加区間の端縁の中心を結ぶ線と進行方向とのなす角度が、増加区間がない場合や、増加区間において足裏側４から甲部側５へ移行する場合より小さくなる。従ってそれだけ爪先部２の形状が親指側２ａに偏った形になり、親指側２ａに多くの糸が編み込まれる結果、爪先部２における親指側２ａの空間を厚くすることができるため、親指に対する圧迫感を緩和することが可能な利点がある。
【００７３】
図１０の場合、展開図上での親指側２ａにおける増加区間と減少区間（ア→チ）と、製編が完了した状態での親指側２ａの側面との関係は図１０−（ａ）、（ｂ）に示す通りであり、図１１の場合の展開図上での親指側２ａにおける増加区間と減少区間（ア→ヌ）と製編が完了した状態での親指側２ａの側面との関係は図１１−（ａ）、（ｂ）に示す通りである。
【００７４】
図１０−（ａ）、図１１−（ａ）の場合、親指側２ａの増加区間の端縁とそれに連続する減少区間の端縁は製編が完了した状態では、各（ｂ）に示すように親指側２ａにおいて１本の幹から多数の枝が伸びたような形になって表れる。図１０−（ａ）の場合のケ位置とＷ位置を結ぶ線ケ−Ｗは足裏側４から甲部側５への折り返し線となり、図１１−（ａ）の場合のシ位置とＷ位置を結ぶ線シ−Ｗは足裏側４から甲部側５への折り返し線となる。図１０、図１１の場合、親指側２ａでＶ字状等をなす増減区間の端縁の組は多数ある。
【００７５】
足裏側４から甲部側５への折り返し線ケ−Ｗ、シ−Ｗ上に増減区間の中心ケが位置するか（図１０）、減増区間の中心シが位置するか（図１１）によって親指側２ａに図１０−（ｂ）に示すように１個のＶ字が表れるか、図１１−（ｂ）に示すように２個のＶ字が表れるかが決まる。図１０、図１１では小指側に２個の減増区間を形成し、１個の増減区間を形成しているが、図８、図９と同様に減増区間を１個形成し、増減区間を形成しない場合もある。
【００７６】
図１０、図１１はまた、小指側２ｂの減少区間（Ｉ→Ｋ）における編み目の減少数より、親指側２ａの減少区間（ア→イ等）の編み目の減少数が少ない場合を示している。この場合、全体的に親指側２ａの端縁の進行方向に対する傾斜角度が小指側２ｂの端縁の進行方向に対する傾斜角度より小さくなるため、段落００７０〜００７１で述べた投影長さの関係と同様の効果が得られる。
【００７７】
すなわち足裏側４から、または甲部側５から爪先部２の先端側へかけて、製編の進行方向に対する親指側２ａの端縁の中心を結ぶ線の勾配が、小指側２ｂの端縁の中心を結ぶ線の勾配より緩くなり、爪先部２の展開図は製編の進行方向を向く中心線に関して親指側２ａへ偏った形状となる。この結果として爪先部２の形状が親指側２ａに偏った非対称形の足に対して圧迫感を与えることを回避することが可能となる。
【符号の説明】
【００７８】
１……靴下
２……爪先部
２ａ…親指側
２ｂ…小指側
３……筒編部
４……足裏側
５……甲部側
６……逢着部
５０…編針
６０…針釜
【図１】
2011127269.tif 000003
【図２】
2011127269.tif 000004
【図３】
2011127269.tif 000005
【図４】
2011127269.tif 000006
【図５】
2011127269.tif 000007
【図６】
2011127269.tif 000008
【図７】
2011127269.tif 000009
【図８】
2011127269.tif 000010
【図９】
2011127269.tif 000011
【図１０】
2011127269.tif 000012
【図１１】
2011127269.tif 000013
【図１２】
2011127269.tif 000014
【図１３】
2011127269.tif 000015
【図１４】
2011127269.tif 000016